(57)【特許請求の範囲】
【請求項１】
下面に開口部を有し、当該開口部を正面から見て、左右に互いに対向する第１側面板、前後に互いに対向する第２側面板、及び前記開口部に対向する上面板より形成された箱形状のケースと、
前記ケースの開口部内に設けられ、配光制御部を有する配光制御手段と、
前記ケースの前記配光制御手段よりも内側に設けられ、前記配光制御部を介して照明する灯具と
を備え、
前記ケースは、
前記第１側面板あるいは前記第２側面板の何れか一方に設けられ、内側に突出する突起部と、
前記突起部が前記第１側面板に設けられていた場合には、前記第２側面板のうち一方の第２側面板に設けられ、前記突起部が前記第２側面板に設けられていた場合には、前記第１側面板のうち一方の第１側面板に設けられたスリットとを有し、
前記配光制御手段は、
前記配光制御部を支持するフレームを備え、
前記フレームのうち前記突起部と対向するフレームに設けられ、前記突起部の挿入により前記配光制御手段をスライド自在に前記突起部に係合して係止するフレーム係止部と、
前記フレーム係止部を有するフレームあるいは当該フレームと対向するもう一方のフレームに設けられ、前記スリットに挿入されて当該スリットに引っ掛かるフレーム引掛け部と
を有し、
前記フレーム係止部は、
前記フレームの一端部から前記フレーム引掛け部側に水平に延びる第１長穴と、
前記第１長穴の端部から下方へ直角に延びる第２長穴と、
前記第２長穴から直角に折り返した後に上方に延びて終端とする第３長穴と
を有して形成され、
前記第３長穴の終端を前記突起部に係合して、当該突起部に前記フレーム係止部を係止することを特徴とする照明器具。
【請求項２】
前記突起部は、対向する第１側面板の一端部に互いに内側に突出して設けられ、
前記スリットは、前記第１側面板の他端部に位置する第２側面板の両端部に設けられ、
前記フレーム係止部は、前記突起部と対向するフレームの一端部にそれぞれ設けられ、
前記フレーム引掛け部は、前記フレーム係止部を有するフレームの他端部にそれぞれ設けられていることを特徴とする請求項１記載の照明器具。
【請求項３】
前記突起部は、対向する第２側面板の一端部に互いに内側に突出して設けられ、
前記スリットは、前記第２側面板の他端部に位置する第１側面板の両端部に設けられ、
前記フレーム係止部は、前記突起部と対向するフレームの一端部にそれぞれ設けられ、
前記フレーム引掛け部は、前記フレーム係止部を有するフレームの他端部にそれぞれ設けられていることを特徴とする請求項１記載の照明器具。
【請求項４】
前記突起部は、対向する第１側面板の何れか一方の一端部に内側に突出して設けられ、
前記スリットは、前記第１側面板の他端部に位置する第２側面板の片側に設けられ、
前記フレーム係止部は、前記突起部と対向するフレームの一端部に設けられ、
前記フレーム引掛け部は、前記フレーム係止部を有するフレームと対向するもう一方のフレームの他端部に設けられていることを特徴とする請求項１記載の照明器具。
【請求項５】
前記突起部は、対向する第２側面板の何れか一方の一端部に内側に突出して設けられ、
前記スリットは、前記第２側面板の他端部に位置する第１側面板の片側に設けられ、
前記フレーム係止部は、前記突起部と対向するフレームの一端部にそれぞれ設けられ、
前記フレーム引掛け部は、前記フレーム係止部を有するフレームと対向するもう一方のフレームの他端部に設けられていることを特徴とする請求項１記載の照明器具。
【発明の詳細な説明】
【技術分野】
【０００１】
本発明は、例えば、配光制御部を備えた照明器具に関するものである。
【背景技術】
【０００２】
天井に取り付ける照明器具の配光制御手段であるルーバー本体には、ルーバー本体の一端部にケースに取り付けられた軸を受ける長穴を有し、ルーバー本体を長穴の長径方向にスライド自在となるよう保持する軸保持部を備え、さらに、ルーバー本体の他端部に前記ケースの端部にあるスリットに引っ掛ける突起を有する引掛部を備えたものがある（例えば、特許文献１参照）。
【先行技術文献】
【特許文献】
【０００３】
【特許文献１】特開２００７−２００７８９号公報
【発明の概要】
【発明が解決しようとする課題】
【０００４】
前述の照明器具の構造において、グレア抑制のためのルーバー本体をケースに取り付けることができる。しかしながら、ルーバー本体をケースに取り付ける場合、ケースにルーバー本体を取り付けるためのネジや施工性を重視したラッチ構造になっている。このため、コストがかかるという課題があった。
【０００５】
本発明は、前述のような課題を解決するためになされたもので、コストをかけることなく、容易にルーバー本体をケースに取り付けることができる照明器具を提供することを目的とする。
【課題を解決するための手段】
【０００６】
本発明に係る照明器具は、下面に開口部を有し、その開口部を正面から見て、左右に互いに対向する第１側面板、前後に互いに対向する第２側面板、及び開口部に対向する上面板より形成された箱形状のケースと、ケースの開口部内に設けられ、配光制御部を有する配光制御手段と、ケースの配光制御手段よりも内側に設けられ、配光制御部を介して照明する灯具とを備え、ケースは、第１側面板あるいは第２側面板の何れか一方に設けられ、内側に突出する突起部と、突起部が第１側面板に設けられていた場合には、第２側面板のうち一方の第２側面板に設けられ、突起部が第２側面板に設けられていた場合には、第１側面板のうち一方の第１側面板に設けられたスリットとを有し、配光制御手段は、配光制御部を支持するフレームを備え、フレームのうち突起部と対向するフレームに設けられ、突起部の挿入により配光制御手段をスライド自在に突起部に係合して係止するフレーム係止部と、フレーム係止部を有するフレームあるいはフレームと対向するもう一方のフレームに設けられ、スリットに挿入されてスリットに引っ掛かるフレーム引掛け部とを有し、フレーム係止部は、フレームの一端部からフレーム引掛け部側に水平に延びる第１長穴と、第１長穴の端部から下方へ直角に延びる第２長穴と、第２長穴から直角に折り返した後に上方に延びて終端とする第３長穴とを有して形成され、第３長穴の終端を突起部に係合して、突起部にフレーム係止部を係止する。
【発明の効果】
【０００７】
本発明によれば、ケースの第１側面板あるいは第２側面板の何れか一方に突起部を設け、突起部が第１側面板に設けられていた場合には、第２側面板のうち一方の第２側面板にスリットを設け、突起部が第２側面板に設けられていた場合には、第１側面板のうち一方の第１側面板にスリットを設けている。また、配光制御手段のフレームのうち突起部と対向するフレームに、突起部の挿入により配光制御手段をスライド自在に突起部に係合して係止するフレーム係止部を設け、フレーム係止部を有するフレームあるいはフレームと対向するもう一方のフレームに、スリットに挿入されてスリットに引っ掛かるフレーム引掛け部を設けている。
この構成により、ネジやラッチ構造を使用することなく、容易に配光制御手段をケースに取り付けることができる。このため、ネジやラッチ構造を使用した従来と比べ、少ないコストで照明器具を製作することができる。
【図面の簡単な説明】
【０００８】
【図１】本発明の実施の形態に係る照明器具においてルーバー側を上向きに反転して示す斜視図である。
【図２】図１の照明器具を分解して示す斜視図である。
【図３】図２のケースを拡大して示す斜視図である。
【図４】図２のルーバー本体を分解して示す斜視図である。
【図５】ルーバー本体をケースに取り付ける前の状態を示す斜視図である。
【図６】ルーバー本体をケースに取り付けた状態を示す斜視図である。
【図７】ルーバー本体をケースに組み立てた後の照明器具を示す斜視図である。
【図８】図６のルーバー本体の変形例１を示す斜視図である。
【図９】図６のルーバー本体の変形例２を示す斜視図である。
【発明を実施するための形態】
【０００９】
以下、本発明に係る照明器具の実施の形態を図面に基づいて説明する。
図１は本発明の実施の形態に係る照明器具においてルーバー側を上向きに反転して示す斜視図、図２は図１の照明器具を分解して示す斜視図、図３は図２のケースを拡大して示す斜視図、図４は図２の配光制御手段を分解して示す斜視図である。
【００１０】
本実施の形態の照明器具１０は、例えば、グリッド天井に開けられた開口に嵌め込まれて、その開口の周縁に設けられたＴバーに支持され、配光制御部としてルーバー４１を備えた２灯用のＬＥＤグリッド照明器具である。この照明器具１０は、図１及び図２に示すように、下面に開口部２１を有する箱形状のケース２０と、ケース２０の開口部２１内に設けられ、一方向に等間隔に配列されたルーバー４１を有する配光制御手段のルーバー本体４０と、ケース２０のルーバー本体４０よりも内側に設けられ、複数のルーバー４１を介して照明する灯具３０とを備えている。
【００１１】
灯具３０は、ケース２０内にネジなどで固定される脚部３１と、この脚部３１に取り付けられた灯具本体部３２と、灯具本体部３２に設けられたＬＥＤモジュール（図示せず）と、このＬＥＤモジュールを覆うように灯具本体部３２に取り付けられた透光性カバー３３を備えている。
【００１２】
ケース２０は、図３に示すように、例えば直方体状に形成されており、ルーバー本体４０のルーバー４１の配列方向の左右対向するように位置する第１側面板２２、２３と、前述のルーバー４１の配列方向の前後に対向するように位置する第２側面板２４、２５と、開口部２１と対向する上面板２９とで構成されている。例えば、対向する第１側面板２２、２３の一端部には、互いに対向して設けられ、開口部２１の方向に、かつ内方へ切り起こして形成された突起部であるＬ字形状の切り起こし片２２ａ、２３ａが設けられている。また、第１側面板２２、２３の他端部に位置する第２側面板２５の両端部に縦長のスリット２５ａが設けられている。
【００１３】
前述の２枚の第２側面板２４と第２側面板２５は、それぞれ異なるＬ字形状のフレーム２６、２７によって連結されている。また、互いに対向する第１側面板２２、２３の長手方向の上側角度部は、切り欠きされており、この切り欠きにより、上面板２９とで四辺形の穴２８が形成されている。この四辺形の穴２８は、フレーム２６、２７のそれぞれの水平部分を挿入するために設けられている。
【００１４】
配光制御手段であるルーバー本体４０は、例えば図４に示すように、配光制御部であるルーバー４１の配列方向の左右に設けられたフレーム４２を備えている。このフレーム４２によってルーバー４１を支持している。各フレーム４２の一端部には、切り起こし片２２ａ、２３ａの挿入によりルーバー本体４０がスライド自在に切り起こし片２２ａ、２３ａに係合して係止するフレーム係止部４３が設けられている。また、各フレーム４２の他端部には、スリット２５ａに挿入されてスリット２５ａに引っ掛かるフレーム引掛け部４４が設けられている。このフレーム引掛け部４４には、ケース２０の開口部２１側に突出する突起４４ａが設けられている。
【００１５】
フレーム係止部４３は、各フレーム４２の一端部からフレーム引掛け部４４側に水平に延びる第１長穴４３ａと、第１長穴４３ａの端部から下方へ直角に延びる第２長穴４３ｂと、第２長穴４３ｂから直角に折り返した後に上方に延びて終端とする第３長穴４３ｃとを有して形成されている。第１長穴４３ａは、切り起こし片２２ａ、２３ａの板厚より広く、第２長穴４３ｂは、切り起こし片２２ａ、２３ａの幅よりも広く形成されている。また、第３長穴４３ｃは、第１長穴４３ａと同様に、切り起こし片２２ａ、２３ａの板厚より広く、その終端が切り起こし片２２ａ、２３ａの幅よりも広く形成されている。
【００１６】
前記のように構成された照明器具において、ルーバー本体４０のケース２０への組み付けについて、図５〜図７を用いて説明する。
図５はルーバー本体をケースに取り付ける前の状態を示す斜視図、図６はルーバー本体をケースに取り付けた状態を示す斜視図、図７はルーバー本体をケースに組み立てた後の照明器具を示す斜視図である。
【００１７】
先ず、図５に示すように、ケース２０の開口部２１の下にルーバー本体４０を持ってきて、ルーバー本体４０の各フレーム４２に設けられたフレーム係止部４３の第１長穴４３ａの端部から切り起こし片２２ａ、２３ａを挿入する。次いで、第１長穴４３ａに切り起こし片２２ａ、２３ａを引っ掛けた状態で、ルーバー本体４０を第２側面板２４側にスライドさせる。
【００１８】
そして、第１長穴４３ａの端部からルーバー本体４０を上方へスライドさせて、切り起こし片２２ａ、２３ａを第２長穴４３ｂに案内する。その後、ルーバー本体４０を第２側面板２５側にスライドさせて、切り起こし片２２ａ、２３ａを第３長穴４３ｃに案内する。その状態でルーバー本体４０を下げて、図６に示すように、第３長穴４３ｃの終端である凹みを切り起こし片２２ａ、２３ａに係合し、その切り起こし片２２ａ、２３ａにルーバー本体４０のフレーム係止部４３を係止する。
【００１９】
一方、ルーバー本体４０の各フレーム４２に設けられたフレーム引掛け部４４を、フレーム係止部４３を第３長穴４３ｃに案内している際に、第２側面板２５の両端部に設けられたスリット２５ａに挿入する。そして、図７に示すように、第３長穴４３ｃの終端である凹みを切り起こし片２２ａ、２３ａに嵌合した際に、フレーム引掛け部４４の突起４４ａがスリット２５ａに引っ掛かって、ルーバー本体４０をケース２０に取り付ける。
【００２０】
以上のように本実施の形態によれば、ケース２０の第１側面板２２、２３の一端部にそれぞれ切り起こし片２２ａ、２３ａを設け、ケース２０の第２側面板２５の両端部にスリット２５ａを設けている。また、ルーバー本体４０のフレーム４２の一端部に、切り起こし片２２ａ、２３ａを挿入させた状態でルーバー本体４０をスライドさせ、切り起こし片２２ａ、２３ａに係合して係止するフレーム係止部４３を設け、フレーム４２の他端部に、スリット２５ａに挿入されてスリット２５ａに引っ掛かるフレーム引掛け部４４を設けている。
【００２１】
この構成により、ネジやラッチ構造を使用することなく、容易にルーバー本体４０をケース２０に取り付けることができる。このため、ネジやラッチ構造を使用した従来と比べ、少ないコストで照明器具１０を製作することができる。
【００２２】
なお、実施の形態では、ケース２０の第１側面板２２、２３の一端部にそれぞれ切り起こし片２２ａ、２３ａを設け、ケース２０の第２側面板２５の両端部にスリット２５ａを設けたが、これに限定されるものではない。例えば、突起部である切り起こし片２２ａを、対向する第１側面板２２、２３のうち第１側面板２２の一端部に内側に突出して設け、スリット２５ａを、第１側面板２２の他端部に位置する第２側面板２５の片側、即ち、第２側面板２５の第１側面板２３側の位置に設けるようにしても良い。この場合、フレーム係止部４３を、切り起こし片２２ａと対向するフレーム４２の一端部に設け、フレーム引掛け部４４を、フレーム係止部４３を有するフレーム４２と対向するもう一方のフレーム４２の他端部に設ける。
【００２３】
この構成により、配光制御手段であるルーバー本体４０を、対角状に位置する切り起こし片２２ａとフレーム引掛け部４４とで、ケース２０に取り付けることができる。これにより、より少ないコストで照明器具１０を製作することができる。
【００２４】
また、実施の形態では、ケース２０の第１側面板２２、２３の一端部にそれぞれ切り起こし片２２ａ、２３ａを設け、ケース２０の第２側面板２５の両端部にスリット２５ａを設けたが、これに限定されるものではない。突起部である切り起こし片２２ａ、２３ａを、対向する第２側面板２４、２５の一端部に互いに内側に突出して設け、スリット２５ａを、第２側面板２４、２５の他端部に位置する第１側面板２２の両端部に設けるようにしても良い。この場合、図８に示す変形例１のように、フレーム係止部４３を、切り起こし片２２ａ、２３ａと対向するフレーム４２ａの一端部にそれぞれ設け、フレーム引掛け部４４を、フレーム係止部４３を有するフレーム４２ａの他端部にそれぞれ設ける。なお、フレーム引掛け部４４には、前述したように、ケース２０の開口部２１側に突出する突起４４ａが設けられている。
【００２５】
この構成により、実施の形態と同様に、ネジやラッチ構造を使用することなく、容易に配光制御手段であるルーバー本体４０をケース２０に取り付けることができる。このため、ネジやラッチ構造を使用した従来と比べ、少ないコストで照明器具１０を製作することができる。
【００２６】
前述の変形例１では、ケース２０の第２側面板２４、２５の一端部にそれぞれ切り起こし片２２ａ、２３ａを設け、ケース２０の第１側面板２２の両端部にスリット２５ａを設けたが、これに限定されるものではない。例えば、突起部である切り起こし片２２ａを、対向する第２側面板２４、２５のうち第２側面板２４の一端部に内側に突出して設け、スリット２５ａを、第２側面板２４の他端部に位置する第１側面板２２の片側、即ち、第１側面板２２の第２側面板２５側の位置に設けるようにしても良い。この場合、フレーム係止部４３を、切り起こし片２２ａと対向するフレーム４２ａの一端部にそれぞれ設け、フレーム引掛け部４４を、フレーム係止部４３を有するフレーム４２ａと対向するもう一方のフレーム４２ａの他端部に設ける。なお、フレーム引掛け部４４には、前述したように、ケース２０の開口部２１側に突出する突起４４ａが設けられている。
【００２７】
この構成により、配光制御手段であるルーバー本体４０を、対角状に位置する切り起こし片２２ａとフレーム引掛け部４４とで、ケース２０に取り付けることができる。これにより、より少ないコストで照明器具１０を製作することができる。
【００２８】
なお、実施の形態及び変形例１では、一方向に等間隔に配列されたルーバー４１（配光制御部）を有するルーバー本体４０（配光制御手段）を照明器具１０に用いたが、図９に示す変形例２のように、ルーバー４１を格子状に形成したものでも良い。
【００２９】
また、例えば、突起部である切り起こし片２２ａを、対向する第２側面板２４、２５のうち第２側面板２４の中央部に内側に突出して設け、スリット２５ａを、第２側面板２５の中央部に設けるようにしても良い。この場合、フレーム係止部４３を、切り起こし片２２ａと対向するフレーム４２ａの中央部から突出するように設け、フレーム引掛け部４４を、スリット２５ａと対向するもう一方のフレーム４２ａの中央部に設ける。なお、フレーム引掛け部４４には、前述したように、ケース２０の開口部２１側に突出する突起４４ａが設けられている。さらに、突起部として、Ｌ字形状の切り起こし片２２ａ、２３ａとしたが、これに代えて、平らな突起片でも良い。
【００３０】
また、配光制御手段の１つとして、ルーバー４１を有するルーバー本体４０に関して詳細な説明を行ったが、灯具３０をアクリルなど樹脂部材で形成されたカバーを配光制御部として用いた配光制御手段でも良い。
【符号の説明】
【００３１】
１０  照明器具、２０  ケース、２１  開口部、２２、２３  第１側面板、２２ａ、２３ａ  切り起こし片、２４、２５  第２側面板、２５ａ  スリット、２６、２７  フレーム、２８  四辺形の穴、２９  上面板、３０  灯具、３１  脚部、３２  灯具本体部、３３  透光性カバー、４０  ルーバー本体、４１  ルーバー、４２、４２ａ  フレーム、４３  フレーム係止部、４３ａ  第１長穴、４３ｂ  第２長穴、４３ｃ  第３長穴、４４  フレーム引掛け部、４４ａ  突起。
【図１】
0006735559.tif 000002
【図２】
0006735559.tif 000003
【図３】
0006735559.tif 000004
【図４】
0006735559.tif 000005
【図５】
0006735559.tif 000006
【図６】
0006735559.tif 000007
【図７】
0006735559.tif 000008
【図８】
0006735559.tif 000009
【図９】
0006735559.tif 000010